(57)【要約】  データキャリア（３，３’）に記憶され、通信装置（２）を用いて情報ユニット（ＩＵ，ＩＵ’）の形式で非接触方式によってデータキャリア（３，３’）から受信可能な識別情報（Ｉ１，Ｉ２）の非接触受信のための受信方法において、第一に、情報ユニット（Ｒ．ＩＵ）が受信され、第二に、受信された情報ユニット（Ｒ．ＩＵ）は、一方の情報ユニット（ＩＵ）が第１のデータキャリア（３）から発生し、もう一方の情報ユニット（ＩＵ’）は第２のデータキャリア（３’）から発生した、本質的に同時に出現する２個の異なる情報ユニット（ＩＵ，ＩＵ’）の衝突を表現することが検出され、第三に、衝突を表現する受信された情報ユニット（Ｒ．ＩＵ）は、通信装置（２）によって確定され、第１のデータキャリアから発生する情報ユニット（ＩＵ）として衝突を表現する情報ユニット（Ｒ．ＩＵ）の代わりに使用される第１の置換情報ユニット（Ｒ．ＩＵ１）に置き換えられ、第四に、第１の置換情報ユニット（Ｒ．ＩＵ１）は非接触方式で配信されることが考えられる。
2007512724.tif 000002
【特許請求の範囲】
【請求項１】
データキャリアに記憶され、情報ユニットの形式で非接触方式によって前記データキャリアから通信装置へ転送され、前記通信装置を用いて受信される、識別情報の非接触受信のための受信方法であって、以下に示されたステップ、すなわち、
情報ユニットを受信するステップと、
前記受信された情報ユニットが、第１のデータキャリアから発生する第１の情報ユニットと第２のデータキャリアから発生する第２の情報ユニットとからなる、本質的に同時に出現する２個の異なる情報ユニットの衝突を表現することを検出するステップと、
前記受信された情報ユニットを、前記通信装置によって確定され、前記第１のデータキャリアから発生する前記情報ユニットとして衝突を表現する前記情報ユニットの代わりに使用される、第１の置換情報ユニットで置き換えるステップと、
非接触方式で前記第１の置換情報ユニットを配信するステップと
を有する受信方法。
【請求項２】
衝突検出の前に、さらに、前記通信装置で受信された各情報ユニットが前記第２のデータキャリアから発生する前記情報ユニットとしてバッファリングされる、請求項１に記載の受信方法。
【請求項３】
前に確定された前記第１の置換情報ユニットがその第１の置換情報ユニットと異なる第２の置換情報ユニットで置き換えられ、その第２の置換ユニットが衝突を表現する前記情報ユニットの代わりに、前記第２のデータキャリアから発生する前記情報ユニットとして使用される、請求項２に記載の受信方法。
【請求項４】
前記第１のデータキャリアから発生するすべての情報ユニットの完全な出現に続いて、継続コマンドが発生され、非接触方式で配信され、その継続コマンドを用いて、前記識別情報の前記情報ユニットの配信が、以前に衝突検出の原因になった前記情報ユニットの後に来る前記情報ユニットによって前記第２のデータキャリアを用いて継続する、請求項３に記載の受信方法。
【請求項５】
データキャリアに記憶され、情報ユニットの形式で非接触方式によって前記データキャリアから通信装置へ送信される識別情報の非接触配信のための配信方法であって、以下に記載されたステップ、すなわち、
前記情報ユニットを配信するステップと、
前記情報ユニットの配信後に、前記通信装置によって確定された第１の置換情報ユニットが前記通信装置から受信されるかどうかをチェックするステップと、
確定された第１の置換情報ユニットが前記通信装置から受信されないか、または、前記通信装置によって確定された第１の置換情報ユニットが受信され、前記受信された確定された第１の置換情報ユニットが前記通信装置へ以前に送信された前記情報ユニットと同一であるかのいずれかの場合に、前記通信装置へ以前に送信された情報ユニットの後に続く情報ユニットを用いて前記識別情報の配信を継続するステップと
を有する配信方法。
【請求項６】
前記確定された第１の置換情報ユニットが前記通信装置から受信され、前記受信された第１の置換情報ユニットが前記通信装置へ以前に送信された前記情報ユニットと同一でないことが確定された場合に、前記識別情報の配信が中断され、前記第１の置換情報ユニットの受信の前に送信された前記情報ユニットの後に続く前記情報ユニットの少なくとも位置が記憶される、請求項５に記載の配信方法。
【請求項７】
前記通信装置からの継続コマンドの受信後に、前記識別情報の前記情報ユニットの配信が前記記憶された位置に対応する前記情報ユニットを用いて継続する、請求項６に記載の配信方法。
【請求項８】
情報ユニットの衝突を管理する衝突防止方法であって、
前記情報ユニットがいずれの場合にも１台のデータキャリアから通信装置へ送信され、
衝突の際に前記通信装置で受信された情報ユニットが、第１のデータキャリアから発生する一方の情報ユニットと第２のデータキャリアから発生するもう一方の情報ユニットとからなる、異なる情報ユニットの本質的に同時である出現を表現し、
請求項１から４のいずれか一項に記載された受信方法と請求項５から７のいずれか一項に記載された配信方法とを含む、衝突防止方法。
【請求項９】
データキャリアとの非接触通信のため設計された通信装置のための通信装置回路であって、
前記データキャリアに識別情報が記憶され、
前記識別情報が情報ユニットの形式で非接触方式によって前記データキャリアから受信され、
情報ユニットの非接触受信のため設計された第１の受信手段が設けられ、
前記受信された情報ユニットが、第１のデータキャリアから発生する一方の情報ユニットと第２のデータキャリアから発生するもう一方の情報ユニットとからなる、本質的に同時に出現する２個の異なる情報ユニットの衝突を表現することを検出するため設計された衝突検出手段が設けられ、
前記受信された情報ユニットを、前記通信装置によって確定され、衝突を表現する前記情報ユニットの代わりに前記第１のデータキャリアから発生する前記情報ユニットとしての役割を果たす第１の置換情報ユニットで置き換えるため設計された置換手段が設けられ、
前記確定された第１の置換情報ユニットの非接触配信のため設計された配信手段が設けられる、
通信装置回路。
【請求項１０】
前記第２のデータキャリアから発生する情報ユニットとして、衝突検出の前に前記通信装置で受信される各情報ユニットをバッファリングするため設計された情報ユニットバッファ手段が設けられる、請求項９に記載の通信装置回路。
【請求項１１】
前記置換手段が、以前に確定された第１の置換情報ユニットをその第１の置換情報ユニットと異なる第２の置換情報ユニットで置き換えるため設計され、前記第２の情報ユニットが、前記第２のデータキャリアから発生する前記情報ユニットとして、衝突を表現する前記情報ユニットの代わりに使用される、請求項１０に記載の通信装置回路。
【請求項１２】
前記第１の配信手段を用いて配信される継続コマンドを発生するため設計された継続コマンド発生手段が設けられ、
前記継続コマンドが前に衝突検出の原因になった前記情報ユニットの後に来る情報ユニットを用いて前記第２のデータキャリアにおいて前記識別情報の前記情報ユニットの配信の継続を実行する、
請求項１１に記載の通信装置回路。
【請求項１３】
請求項９から１２のいずれか一項に記載の通信装置回路を備える通信装置。
【請求項１４】
通信装置との非接触通信のため設計されたデータキャリアのためのデータキャリア回路であって、
情報ユニットの形式で非接触方式によって前記データキャリアから前記通信装置へ送信される識別情報が前記データキャリアに記憶され、
非接触方式による前記情報ユニットの配信のため設計された第２の配信手段が設けられ、
前記情報ユニットの配信後に、前記通信装置によって確定された第１の置換情報ユニットが前記通信装置から受信されるかどうかをチェックするため設計されたチェック手段が設けられ、
確定された第１の置換情報ユニットが前記通信装置から受信されない場合、または、前記通信装置によって確定された第１の置換情報ユニットが受信され、前記受信された確定された第１の置換情報ユニットが前記通信装置へ前に送信された前記情報ユニットと同一であることがチェック手段で確定される場合に、前記第２の配信手段が前記通信装置へ前に送信された前記情報ユニットの後に来る前記情報ユニットを用いて前記識別情報の配信を継続するため設計される、
データキャリア回路。
【請求項１５】
前記通信装置から受信された前記確定された第１の置換情報ユニットが前記通信装置へ前に送信された前記情報ユニットと同一でない場合に、前記第２の配信手段が前記識別情報の配信を中断するため設計され、
前記第２の配信手段が位置記憶手段を有し、その位置記憶手段を用いて、前記確定された第１の置換情報ユニットの受信の前に配信された前記情報ユニットの後に来る前記情報ユニットの少なくとも位置が記憶される、
請求項１４に記載のデータキャリア回路。
【請求項１６】
前記第２の受信手段が前記通信装置から非接触方式で受信される継続コマンドを受信し検出するため設計され、
前記継続コマンドの受信が前記受信手段で検出される場合に、前記第２の配信手段がフラグされた位置に対応する前記情報ユニットを用いて前記識別情報の前記情報ユニットの配信を継続するため設計される、
請求項１５に記載のデータキャリア回路。
【請求項１７】
請求項１４から１６のいずれか一項に記載されたデータキャリア回路を備えるデータキャリア。
【請求項１８】
請求項９から１１のいずれか一項に記載された通信装置回路を有する通信装置が設けられ、請求項１４から１６のいずれか一項に記載されたデータキャリア回路を有する少なくとも１台のデータキャリアが設けられた非接触通信のための通信システム。
【発明の詳細な説明】
【技術分野】
【０００１】
本発明は、データキャリアに記憶され、情報ユニットの形式で非接触方式によってデータキャリアから通信装置へ転送可能であり、通信装置を用いて受信可能である識別情報の非接触受信のための受信方法であって、以下に示されたステップ、すなわち、情報ユニットを受信するステップと、受信された情報ユニットが、第１の情報ユニットは第１のデータキャリアから発生し、第２の情報ユニットは第２のデータキャリアから発生する、本質的に同時に出現する２個の異なる情報ユニットの衝突を表現することを検出するステップとを有する受信方法に関係する。
【０００２】
本発明は、データキャリアに記憶され、情報ユニットの形式で非接触方式によってデータキャリアから通信装置へ伝送可能である識別情報を非接触配信するための配信方法であって、以下に示されたステップ、すなわち、情報ユニットを配信するステップを有する配信方法にさらに関係する。
【０００３】
本発明は、第１段落に記載されたタイプの受信方法を含み、第２段落に記載されたタイプの配信方法を含む衝突防止方法にさらに関係する。
【０００４】
本発明は、非接触方式によって情報ユニットの形式でデータキャリアから受信可能である識別情報が記憶されたデータキャリアとの非接触通信のため設計された通信装置のための通信装置回路であって、情報ユニットの非接触受信のため設計された第１の受信手段が設けられ、受信された情報ユニットが、一方の情報ユニットが第１のデータキャリアから発生し、もう一方の情報ユニットが第２のデータキャリアから発生する、本質的に同時に出現する２個の異なる情報ユニットの衝突を表現することを検出する衝突検出手段が設けられた通信装置回路にさらに関係する。
【０００５】
本発明は、第４段落に記載されたタイプの通信装置回路を備える通信装置にさらに関係する。
【０００６】
本発明は、通信装置との非接触通信のため設計され、データキャリアに非接触方式によって情報ユニットの方式でデータキャリアから通信装置へ転送可能である識別情報が記憶された、データキャリアのためのデータキャリア回路であって、情報ユニットを非接触方式で配信するため設計された第２の配信手段が設けられたデータキャリア回路にさらに関係する。
【０００７】
本発明は、第６段落に記載されたタイプのデータキャリア回路を備えるデータキャリアにさらに関係する。
【０００８】
本発明は、第４段落に記載されたタイプの通信装置回路を有する通信装置、および、第６段落に記載された回路によるデータキャリア回路を有する少なくとも１台のデータキャリアを含む非接触通信のための通信システムにさらに関係する。
【背景技術】
【０００９】
冒頭で第１段落に記載されたタイプの上記受信方法、冒頭で第２段落に記載されたタイプの上記配信方法、冒頭で第３段落に記載されたタイプの上記衝突防止方法、冒頭で第４段落に記載されたタイプの上記通信装置回路、冒頭で第５段落に記載されたタイプの上記通信装置、冒頭で第６段落に記載されたタイプの上記データキャリア回路、冒頭で第７段落に記載されたタイプの上記データキャリア、および、冒頭で第８段落に記載されたタイプの上記通信システムは特許文献の米国特許第５，７６１，５７０号によって知られている。
【００１０】
知られている通信システムでは、通信システムを用いて知られている衝突防止方法が実行され、衝突防止方法では、知られている受信方法が知られている通信装置回路を有する知られた通信装置を用いて実行され、衝突防止方法では、知られている配信方法が知られているデータキャリア回路を有する知られたデータキャリアを用いて実行され、情報ユニットは通信装置で受信されることが分かる。受信された情報ユニットに基づいて、適切な場合、受信された情報ユニットが本質的に同時に出現する２個の異なる情報ユニットを表現するかどうかが検出され、これらの２個の異なる情報ユニットのうち、一方の情報ユニットは第１の当該知られているデータキャリアから発生し、もう一方の情報ユニットは第２の当該知られているデータキャリアから発生する。いわゆる衝突はよってこの動作の場合に検出される。
【００１１】
知られている通信システムでは、本質的に同時に出現するが、互いに異なる情報ユニットの衝突検出後に、この衝突を表示するためだけに与えられる表示信号が通信装置において発生され通信装置から配信されたキャリア信号を用いて通信装置から配信されるという問題がある。この表示信号は少なくとも２台のデータキャリアによって受信され処理される。この点について、データキャリアを用いて受信された表示信号は衝突する識別情報の配信の完全終了のため使用され、そして、乱数を使用して計算された期間の満了後のできるだけ早い時に識別情報のさらなる配信が継続されるというさらなる問題がある。この期間が経過した後、完全な識別情報は、最短期間が計算されたデータキャリアから再配信される。この識別情報の配信中に再度衝突が起こることを防止するため、通信装置は、この識別情報の情報ユニットを再び受信し始めた直後に、さらなる信号、すなわち、いわゆる「ビジー信号」を配信しなければならないので、すべての他の残りのデータキャリアは、最短期間によって肯定されたデータキャリアの識別情報が完全に送信された後に、それらの識別情報に関する問い合わせを再び受信するまで、サイレント状態を保つべきである。その後、残りのデータキャリアは、衝突が再度検出され、データキャリアが残りのデータキャリアのグループからこのグループ内の最短期間を計算することによって再び選択されるまで、再びそれらの識別情報を、適切である場合、同時に送信し始める。衝突防止方法またはインベントリ技術として一般に知られているこの方法は、すべてのデータキャリアがそれらの識別情報を完全に、特に、衝突を発生することなく配信するまで繰り返される。この場合、上記乱数の計算に時間がかかり、適切な手段がデータキャリアに必要とされるという問題がある。さらに、上記データキャリアおよび上記通信装置は、かなり多数の上記データキャリアが通信装置の通信ゾーンの範囲内に実質的に同時に収容され、すべてのデータキャリアからの識別情報ができるだけ速く検出されなければならないアプリケーションでは実際上不適当である。上記アプリケーションでは、すべての識別情報の通信装置への迅速かつ効率的な送信はどうしても不可能であるので、期間の満了を待機する時間のかかるプロセス、および、その後に続く完全な識別情報の反復的な配信は不利である。
【発明の開示】
【発明が解決しようとする課題】
【００１２】
本発明の目的は、冒頭の第１段落に記載されたタイプの受信方法、冒頭の第２段落に記載されたタイプの上記配信方法、冒頭の第３段落に記載されたタイプの上記衝突防止方法、冒頭の第４段落に記載されたタイプの上記通信装置回路、冒頭の第５段落に記載されたタイプの上記通信装置、冒頭の第６段落に記載されたタイプの上記データキャリア回路、冒頭の第７段落に記載されたタイプの上記データキャリア、および、冒頭の第８段落に記載されたタイプの上記通信システムにおける上記の問題を回避すること、改良された受信方法、改良された配信方法、改良された衝突防止方法、改良された通信装置回路、改良された通信装置、改良されたデータキャリア回路、改良されたデータキャリア、および、改良された通信システムを作ることである。
【課題を解決するための手段】
【００１３】
上記問題を解決するため、本発明による受信方法において本発明による特長が提供されるので、本発明による受信方法は以下のとおり特徴付けられる。
【００１４】
データキャリアに記憶され、情報ユニットの形式で非接触方式によってデータキャリアから通信装置へ転送可能であり、通信装置で受信可能である識別情報の非接触受信のための受信方法は、以下のステップ、すなわち、情報ユニットを受信し、受信された情報ユニットが、第１のデータキャリアから発生する第１の情報ユニットと第２のデータキャリアから発生する第２の情報ユニットとからなる、本質的に同時に出現する２個の異なる情報ユニットの衝突を表現することを検出するステップと、受信された情報ユニットを、通信装置によって確定され、第１のデータキャリアから発生する情報ユニットとして衝突を表現する情報ユニットの代わりに使用される、第１の置換情報ユニットで置き換えるステップと、非接触方式で第１の置換情報ユニットを配信するステップとを有する。
【００１５】
上記問題を解決するため、本発明による配信方法において本発明による特長が提供されるので、本発明による配信方法は以下のとおり特徴付けられる。
【００１６】
データキャリアに記憶され、情報ユニットの形式で非接触方式によってデータキャリアから通信装置へ配信可能である識別情報の非接触配信のための配信方法は、以下に記載されたステップ、すなわち、情報ユニットを配信するステップと、情報ユニットの配信後に、通信装置によって確定された第１の置換情報ユニットが通信装置から受信可能であるかどうかをチェックするステップと、確定された第１の置換情報ユニットが通信装置から受信されない場合、または、通信装置によって確定された第１の置換情報ユニットが受信され、受信された確定された第１の置換情報ユニットが通信装置へ前に送信された情報ユニットと同一である場合のいずれかの場合に、通信装置へ前に送信された情報ユニットの後に続く情報ユニットを用いて識別情報を配信し続けるステップとを有する。
【００１７】
上記問題を解決するため、本発明による衝突防止方法において、本発明による衝突防止方法は、本発明による受信方法および本発明による配信方法を含むことが分かる。
【００１８】
上記問題を解決するため、本発明による通信装置では、本発明による特長が提供されるので、本発明による通信装置回路は以下のとおり特徴付けられる。
【００１９】
データキャリアとの非接触通信のため設計された通信装置のための通信装置回路において、情報ユニットの形式で非接触方式によってデータキャリアから受信可能である識別情報がデータキャリアに記憶され、情報ユニットの非接触受信のため設計された第１の受信手段が設けられ、受信された情報ユニットが、第１のデータキャリアから発生する一方の情報ユニットと第２のデータキャリアから発生するもう一方の情報ユニットとからなる、本質的に同時に出現する２個の異なる情報ユニットの衝突を表現することを検出するため設計された衝突検出手段が設けられ、受信された情報ユニットを、通信装置によって確定され、衝突を表現する情報ユニットの代わりに第１のデータキャリアから発生する情報ユニットとしての役割を果たす第１の置換情報ユニットで置き換えるため設計された置換手段が設けられ、確定された第１の置換情報ユニットの非接触配信のため設計された送信手段が設けられる。
【００２０】
上記問題を解決するため、本発明による通信装置には、本発明による通信装置回路が設けられる。
【００２１】
上記問題を解決するため、本発明によるデータキャリア回路には、本発明による特長が提供されるので、本発明によるデータキャリア回路は以下のとおり特徴付けられる。
【００２２】
通信装置との非接触通信のため設計されたデータキャリアのためのデータキャリア回路では、情報ユニットの形式で非接触方式によってデータキャリアから通信装置へ送信可能である識別情報がデータキャリアに記憶され、非接触方式による情報ユニットの配信のため設計された第２の送信手段が設けられ、情報ユニットの配信後に、通信装置によって確定された第１の置換情報ユニットが通信装置から受信可能であるかどうかをチェックするため設計されたチェック手段が設けられ、確定された第１の置換情報ユニットが通信装置から受信されない場合、または、通信装置によって確定された第１の置換情報ユニットが受信され、受信された確定された第１の置換情報ユニットが通信装置へ前に送信された情報ユニットと同一であることがチェック手段で確定される場合に、第２の送信手段が通信装置へ以前に送信された情報ユニットの後に続く情報ユニットを用いて識別情報を配信し続けるため準備される。
【００２３】
上記問題を解決するため、本発明によるデータキャリアを用いて、本発明によるデータキャリア回路が提供される。
【００２４】
上記問題を解決するため、本発明による通信システムは、本発明による通信装置回路を有する本発明による通信装置と、本発明によるデータキャリア回路を有する少なくとも１台の本発明によるデータキャリアとが設けられる。
【００２５】
本発明による対策を提供することにより、異なる情報ユニットの衝突が第１のデータキャリアまたは第１のデータキャリアのグループからの即時選択によって管理されるので、選択された第１のデータキャリア、または、選択された第１のデータキャリアのグループから、通信装置へ配信するため準備される次の情報ユニットが実質的に時間損失を伴うことなく送信され、前に衝突の検出が生じているとしても実質的に顕著な遅延を伴うことなく通信装置で処理するため利用可能になるという利点が得られる。
【００２６】
本発明による解決策では、さらに請求項２、請求項６、請求項１０または請求項１５に記載された対策を設けるならば、有利であることが分かる。結果として得られる効果は、情報ユニットが衝突に関与した少なくとも第２のデータキャリアにおいて、または、第２のデータキャリアのグループでさえ、それぞれの識別情報の情報ユニットの配信の停止は、通信装置との費用のかかる双方向通信を用いることなく、通信装置において確定され配信された第１の置換情報ユニットを用いて実施されることである。その上、通信装置において、結果として得られる効果は、既に一時的に記憶された各情報ユニットが第２のデータキャリアのうちの一つから発生する識別情報を完成するため使用されるので、既に衝突なしに受信された各情報ユニットの時間のかかる後に続く反復的な受信が回避されることである。その結果として、さらに、データキャリアでは、識別情報の配信が、識別情報内に正確に規定された位置で既に送信された情報ユニットを繰り返すことなく後の時点で継続されるという効果が得られる。
【００２７】
本発明による解決策では、請求項３または１１による対策がさらに設けられるならば、有利であることがさらに分かる。その結果として、衝突に関与し、少なくとも１台の第２のデータキャリアから発生する情報ユニットは失われるのではなく、衝突を表現する受信された情報ユニットを置換するため直ちに使用されるので、後の時点で、実際には未だ送信されていない第２のデータキャリアの情報ユニットだけをさらに受信すればよいという効果が得られる。
【００２８】
本発明による解決策では、請求項４、請求項７、請求項１２または請求項１６による対策がさらに設けられるならば、さらに有利であることが分かる。その結果として、通信装置において確定され通信装置から送信された第１の置換情報ユニットによって前に選択されていない第２のデータキャリアの情報ユニットの最大限に効率的な配信が、通信装置によって規定された時点において、この第２のデータキャリアからの情報ユニットの反復的な送信を必要とすることなく、保証されるという効果が得られる。その結果として、さらに、衝突に関与した各データキャリア、すなわち、第１のデータキャリアと第２のデータキャリアの両方は、それぞれの識別情報のすべての情報ユニットを１回配信するだけでよいという効果が得られる。
【００２９】
受信方法および送信方法に関連して説明された効果は、本発明による受信方法と本発明による送信方法とを含む請求項８に記載された発明にかかる衝突防止方法でも得られることに注意すべきである。同様のことは、請求項９から１２のいずれか一項に記載された発明にかかる通信装置回路を有する請求項１３に記載された発明にかかる通信装置に当てはまる。同様のことは、請求項１４から１６のいずれか一項に記載されたデータキャリア回路を有する請求項１７に記載された発明にかかるデータキャリアにさらに当てはまる。同様のことは、発明にかかる上記の通信装置と発明にかかる少なくとも１台の上記のデータキャリアとを有する請求項１８に記載された発明にかかる通信システムにさらに当てはまる。
【００３０】
発明の上記態様およびその他の態様は以下に記載された実施形態から明らかであり、その実施形態を参照して解明される。
【００３１】
発明は図面に記載された実施形態に基づいて以下で詳細に説明されるが、発明はこの実施形態に限定されない。
【発明を実施するための最良の形態】
【００３２】
図１は、以下ではシステム１と称され、非接触通信の標準規格ＩＳＯ  １４４４３に準拠して設計された通信システム１を表す。システム１は、図２に詳細に示された通信装置２と、同一の構造である第１のデータキャリア３および第２のデータキャリア３’とを有する。相違点は、第１の識別情報Ｉ１が第１のデータキャリア３に収容され、第１の識別情報Ｉ１とは異なる第２の識別情報Ｉ２が第２のデータキャリア３’に収容されることである。第２のデータキャリア３’のすべてのコンポーネントの参照符号は、以下の説明で参照されるときにアポストロフィによって示される。
【００３３】
通信装置２は、２台のデータキャリア３および３’のそれぞれとの非接触通信のため設計され、それぞれのデータキャリ３または３’がその識別情報Ｉ１またはＩ２を他の識別情報との衝突無しに通信装置２に送信した後、その結果として、好ましくはそれぞれの識別情報Ｉ１またはＩ２を用いて、曖昧さのない方式で応答可能である。この目的のため、キャリア信号Ｃが通信装置２を用いて発生され配信される。キャリア信号Ｃを用いて、データキャリア３および３’は、通信装置２の通信ゾーン内に持ち込まれると直ぐにエネルギーを供給される。このキャリア信号を用いて、情報がさらにデータキャリア３および／または３’と通信装置２との間で交換され、通信装置２からの情報を送信する目的のため、キャリア信号Ｃは振幅変調され、データキャリア３および／または３’の一方からの情報を送信する目的のため、キャリア信号Ｃは負荷変調される。たとえば、インベントリコマンドＩＣ１が通信装置２から配信され、データキャリア３および３’において、本例では、以下で詳述されるように、マンチェスタ符号に従って符号化されたビットによって与えられる情報ユニットＩＵおよびＩＵ’の形式でそれぞれの識別情報Ｉ１およびＩ２の本質的に同時である送信を引き起こす。
【００３４】
図２に詳細に示された通信装置２は通信装置回路４を有し、その通信装置回路は、いわゆるホストコンピュータに接続するため用いられるホストインターフェイスコネクション５を有するので、これ以上詳細に説明されないが、ホストコンピュータと情報を交換可能である。通信装置１はマッチング手段７および送信コイル構造体８を含む送信手段６をさらに有し、送信手段は、送信コイル構造体８を用いて知られた方式でデータキャリア３および／または４との誘導結合を生ずることが可能であり、マッチング手段７を用いて知られた方式で回路インピーダンスと送信手段６のインピーダンスとの間のマッチングを実現することが可能である。
【００３５】
通信装置回路４は送信手段コネクション９をさらに有し、その送信手段コネクションを介して送信手段６が通信装置４へ接続される。
【００３６】
通信装置回路４は、通信装置回路４内の情報処理シーケンスを制御するため設けられた、本例では、いわゆるマイクロコントローラの形式であるシーケンシングステージ１０をさらに有し、このシーケンシングステージを用いて、情報がホストコンピュータとデータキャリア３および３’のそれぞれの両方と交換される。
【００３７】
通信装置４は、シーケンシングステージ１０を用いて発生される第１の制御信号Ｃ１または第２の制御信号Ｃ２に依存して、送信手段コネクション９を介して送信手段６へ情報を配信するため設計された第１の配信手段１１をさらに有する。本例では、情報はインベントリコマンドＩＣ１または置換情報ユニット（ＲＩＵ１）によって形成され、そのさらなる詳細は後述される。第１の配信手段１１は、インベントリコマンド発生手段１２、第１の符号化手段１３、第１の変調手段１４、および、第１の増幅手段１５を含む。インベントリコマンド発生手段１２は、第１の制御信号Ｃ１を受信し次第、インベントリコマンドＩＣ１を発生し、符号化手段１３へ配信するため設計され、マンチェスタ符号に従って符号化されたインベントリコマンドＣＩＣが上記符号化手段１３によって発生され配信されることを可能にする。変調手段１４は、符号化されたインベントリコマンドＣＩＣを受信し、その符号化されたインベントリコマンドＣＩＣに応じて、符号化されたインベントリコマンドＣＩＣに依存して変調信号セグメントおよび無変調信号セグメントを有するキャリア信号Ｃを発生し、送信手段６に配信されることを可能にするキャリア信号Ｃから増幅手段１５へ配信するため設計され、増幅手段を用いてキャリア信号は通信装置１からデータキャリア３および３’へ転送される。
【００３８】
第１の配信手段１１は、置換情報ユニット発生手段１６と第２の符号化手段１７と変調手段１８をさらに有する。置換情報ユニット発生手段１６は、シーケンシングステージ１０から第２の制御信号Ｃ２を受信した時、第１の置換情報ユニットＲＩＵ１を発生し、第２の符号化手段１７へ配信するように設計される。第２の符号化手段１７は、マンチェスタ符号に従って第１の置換情報ユニットＲＩＵ１を符号化し、符号化された第１の置換情報ユニットＣＲＩを第２の変調手段１８へ配信するため設計され、第２の変調手段では、第１の変調手段１４と同じように、キャリア信号Ｃが符号化された置換情報ユニットＣＲＩに応じて変調され、キャリア信号Ｃが増幅手段１５へ配信されるので、置換情報ユニットＲＩＵ１は、送信手段６を用いてデータキャリア３および３’にも送信される。したがって、第１の配信手段１１は第１の置換情報ユニットＲＩＵ１の非接触配信のため設計される。
【００３９】
通信装置回路４は、負荷変調されたキャリア信号Ｃを用いて、データキャリア３および／または３’から受信可能である情報ユニットＲＩＵの非接触受信のため設計された受信手段２０をさらに有する。この目的のため、受信手段１９は、送信手段コネクション９に接続されたフィルタリング手段２０を有する。受信手段１９は、復調手段２１と増幅フィルタリング手段２２と復号化手段２３と情報ユニット検出手段２４をさらに有する。
【００４０】
フィルタリング手段２０は、送信手段コネクション９に現れるキャリア信号Ｃをフィルタリングするため設計される。第１のフィルタリング手段２０は、フィルタリングされたキャリア信号を表す受信信号ＲＳを復調手段２１へ配信するためにも設計され、その復調手段を用いて、受信信号ＲＳは復調され、復調された受信信号ＤＲＳとして増幅フィルタリング手段２２へ配信される。増幅フィルタリング手段２２を用いて、復調された受信信号ＤＲＳは、再び増幅されフィルタリングされ、フィルタリングされ復調された受信信号ＤＲＳとして、復調された受信信号ＤＲＳを復号化し、復号化された受信信号ＤＣＲＳを配信するため設計された復号化手段２３へ配信される。復号化された受信信号ＤＣＲＳは、復号化された受信信号ＤＣＲＳによって表現された情報ユニットＲＩＵを検出し、シーケンシングステージ１０へ配信するため設計された情報ユニット検出手段２４へ供給される。
【００４１】
通信装置回路４は、復号化手段２３から復号化された受信信号ＤＣＲＳが供給される衝突検出手段２５をさらに有する。衝突検出手段２５は、復号化された受信信号ＤＣＲＳによって表された受信された情報ユニットＲＩＵが、本質的に同時に出現し、一方の情報ユニットＩＵが第１のデータキャリア３から発生し、もう一方の情報ユニットＩＵ’が第２のデータキャリア３’から発生する２個の異なる情報ユニットＩＵとＩＵ’の衝突を表現することを検出するため設計される。衝突検出手段２５は、上記衝突の検出の結果として、衝突検出信号ＣＤＳを発生し、衝突検出信号ＣＤＳをシーケンシングステージ１０へ配信するため設計される。
【００４２】
通信装置回路４は、衝突検出手段２５と相互作用し、異なる情報ユニットＩＵおよびＩＵ’の衝突が衝突検出手段２５によって検出された場合に、受信された情報ユニットＲＩＵを、通信装置１によって確定され、第１のデータキャリア３から発生する情報ユニットＩＵとして衝突を表現する受信された情報ユニットＲＩＵの代わりの役割を果たす第１の置換情報ユニットＲＩＵ１によって置き換えるため設計された置換手段２６をさらに有する。本例では、第１の置換情報ユニットＲＩＵ１が論理値１を表すことは、定義によって、すなわち、通信装置１から、または、通信装置１を介して確定される。
【００４３】
通信装置回路４に格納されたシーケンシングステージ１０は、情報ユニットＩＵおよび／またはＩＵ’を記憶するため設計された情報ユニット記憶手段２７をさらに有する。情報ユニット記憶手段２７は、第２のデータキャリア３’から発生する情報ユニットＩＵ’として衝突検出の前に通信装置１で受信された各情報ユニットＩＵをバッファリングするため設計された情報ユニット一時記憶手段２８をさらに有する。シーケンシングステージ１０では、衝突の出現前に受信された情報ユニットＩＵのコピーがシーケンシングステージ１０を用いて情報ユニットＩＵ’として情報ユニットバッファ手段２８において作成されることが分かる。
【００４４】
置換手段２６は、前に確定された第１の置換情報ユニットＲＩＵ１を、第２のデータキャリア３’から発生し、第１の置換情報ユニットと異なり、衝突の原因となった情報ユニットＩＵ’として受信された情報ユニットＲＩＵの代わりに使用され、衝突を表現する第２の置換情報ユニットＲＩＵ２で再び置き換えるためさらに設計される。シーケンシングステージ１０を用いることにより、この第２の置換情報ユニットＲＩＵ２は、情報ユニット一時記憶手段２８に記憶され、すなわち、衝突の原因となった受信された情報ユニットＲＩＵの代わりに記憶される。
【００４５】
通信装置回路４は、本例では、インベントリコマンド発生手段１２として構成された継続コマンド発生手段をさらに有する。シーケンシングステージ１０は、第１のデータキャリア３から受信されるべき第１の識別情報Ｉ１のすべての情報ユニットＩＵが受信されたかどうかを監視するためさらに設計される。第１の識別情報Ｉ１のすべての情報ユニットＩＵが受信されると直ぐに、シーケンシングステージ１０は、第１の制御信号Ｃ１を再び発生し、インベントリコマンド発生手段１２へ配信するためさらに設計される。インベントリコマンド発生手段１２は、その後、本例ではインベントリコマンドＩＣ１によって形成される継続コマンドを発生し、配信手段１１を用いて継続コマンドを配送するため設計され、上記継続コマンドは第１のデータキャリア３に影響を与えないが、第２のデータキャリア３’において、前に衝突の検出の原因となった情報ユニットＩＵ’の後に来る情報ユニットＩＵ’によって第２の識別情報Ｉ２の情報ユニットＩＵ’の配信の継続を実施する。本実施例のように、２台のデータキャリア３および３’だけが通信装置１の通信ゾーン内に設けられている場合、衝突の原因になった情報ユニットＩＵ’の後に来る情報ユニットＩＵ’は、そのとき、衝突無しに第２のデータキャリア３’から通信装置１へ配信され、受信手段１９を用いて通信装置１によって受信され、第２のデータキャリア３’から発生する情報ユニットＩＵ’として情報ユニットバッファ手段２８に記憶される。
【００４６】
ここで、確定された第１の置換情報ユニットＲＩＵ１が論理値０を表す場合、データキャリア３および３’は役割を交換し、第２のデータキャリア３’が最初にその識別情報１２を通信装置１に完全に配信すべきであり、その後になって初めて、第１のデータキャリア３は、衝突の原因になった情報ユニットＩＵの後に現れる情報ユニットＩＵから始まるその識別情報Ｉ１を完成することに注意すべきである。
【００４７】
ここで、たとえば、３台のデータキャリア３、３’および３’’が存在するとき、第１の衝突において、第１のデータキャリア３が第１の置換情報ユニットＲＩＵ１を用いて選択され、その識別情報Ｉ１を通信装置１へ完全に送信し、その後、残りの２台のデータキャリア３’および３’’がそれぞれの識別情報Ｉ２およびＩ３を一緒に完成し始めることにさらに注意すべきである。この間に、第２の衝突が起こる可能性があり、その結果、この２台のデータキャリア３’および３’’のグループは再び停止し、たとえば、第２のデータキャリア３’が再び受信されている第１の置換情報ユニットＲＩＵ１に基づいて選択されるので、第２のデータキャリア３’が第１のデータキャリア３の役割を引き受け、また、第３のデータキャリア３’’が第２のデータキャリア３’の役割を引き受ける。この場合、その結果、第２のデータキャリア３’はその識別情報Ｉ２を最初に通信装置２へ完全に送信し、その後、第３のデータキャリア３’’は、衝突の原因になった情報ユニットＩＵ’’の後に来るが情報ユニットＩＵ’’から始まるその識別情報Ｉ３を完成する。
【００４８】
図３に表されたデータキャリア３は、識別情報記憶手段３０を有するデータキャリア回路２９を有する。データキャリア３は、通信装置１の第１の送信手段６と相互作用するため設計された第２の送信手段３１をさらに有する。データキャリア回路２９は送信手段コネクション３２を有し、その送信手段コネクションによってデータキャリア回路は第２の送信手段３１に接続される。第２の送信手段３１は、通信装置１の送信コイル構造体８との誘導結合のため設計され設けられた送信コイル構造体３３を有する。その上、データキャリア回路２９内には、送信手段３０に割り当てられた共振コンデンサ３４が設けられるので、第２の送信手段３１は共振回路を形成し、その共振回路を用いて、通信装置１についての冒頭部分において説明されたエネルギー供給および上記の情報交換が実行される。
【００４９】
データキャリア回路２９は、送信手段コネクション３２に現れるキャリア信号Ｃを利用することによって、基準電位ＧＮＤに対するデータキャリア回路２９の電源電圧を発生し供給するため設計された電源電圧発生手段３５をさらに有する。
【００５０】
データキャリア回路２９は、送信手段コネクション３２にも接続され、送信手段コネクション３２に現れる信号を利用することによって、データキャリア回路２９のクロック信号ＣＬＫを発生し供給するため設計されたクロック発生手段３６をさらに有する。クロック発生手段３６は、クロックパルス再発生手段として設計される。
【００５１】
データキャリア回路２９は、インベントリコマンドＩＣ１および継続コマンドを受信し検出するため設計された第２の受信手段３７をさらに有する。この目的のため、受信手段３７は、第２の復調手段３８と第２の復号化手段３９とインベントリコマンド検出手段４０を有する。第２の復調手段３８は送信手段コネクション３２に接続され、そこで読み取られるキャリア信号Ｃを復調し、復調されたキャリア信号ＤＣを第２の復号化手段３９へ配信するため設計される。第２の復号化手段３９は、復調されたキャリア信号ＤＣを復号化し、復調され復号化されたキャリア信号ＤＤＣをインベントリコマンド検出手段４０へ配信するため設計される。インベントリコマンド検出手段４０は、キャリア信号Ｃを用いてデータキャリア３へ通信されたインベントリコマンドＩＣ１を検出し、このインベントリコマンドＩＣ１を第２のシーケンシングステージ４１へ配信するため設計される。第２のシーケンシングステージ４１は、受信されたインベントリコマンドＩＣ１、継続コマンド、その後に続く識別情報Ｉ１の情報ユニットＩＵの配信または中断、および、その後に続く配信の継続のような情報処理シーケンスを制御するため設計され、データキャリア回路２９に設けられる。
【００５２】
データキャリア回路２９は、シーケンシングステージ４１と、応答発生手段４３、第３の符号化手段４４および第３の変調手段４５とを用いて構成された配信手段４２をさらに有する。配信手段４２は、インベントリコマンドＩＣ１の受信の結果として、シーケンシングステージ４１の助けを借りて、識別情報記憶手段３０から情報ユニットＩＵの形式で識別情報Ｉ１を読み出し、第３の制御信号Ｃ３の成分として情報ユニットＩＵを応答発生手段４３へ配信するため設計される。応答発生手段４３は、第３の制御信号Ｃ３を利用することによって、インベントリコマンドＩＣ１に応答して応答情報を発生し配信するため設計され、上記応答情報は、基本的な成分として、識別情報Ｉ１の情報ユニットＩＵを有する。第３の符号化手段４４は、マンチェスタ符号に従って応答情報を符号化し、符号化された応答情報ＣＩＵを第３の変調手段４５へ配信するため設計される。第３の変調手段４５は、受信された符号化された応答情報ＣＩＵに関係して送信手段コネクション３２に現れるキャリア信号Ｃを負荷変調するため設計される。
【００５３】
データキャリア回路２９は、情報ユニットＩＵを配信した後、通信装置１によって確定された第１の置換情報ユニットＲＩＵ１が通信装置１によって受信され得るかどうかをチェックするため設計されたチェック手段４６をさらに有する。この目的のため、チェック手段４６は、第３の復調手段４７、第３の復号化手段４８、置換情報ユニット検出手段４９および置換情報ユニット評価手段５０を有する。第３の復調手段４７は、送信手段コネクション３２に現れるキャリア信号Ｃを復調し、復調されたキャリア信号ＤＣを第３の復号化手段４８へ配信するため設計される。第３の復調手段４７の機能は、第２の復調手段３８によって実現してもよく、結果として、より簡単な回路設計となる。第３の復号化手段４８は、復調されたキャリア信号ＤＣを復号化し、復調され復号化されたキャリア信号ＤＤＣを置換情報ユニット検出手段４９および置換情報ユニット評価手段５０へ配信するため設計される。置換情報ユニット検出手段４９は、復調され復号化されたキャリア信号ＤＤＣを利用することにより、キャリア信号Ｃが第１の置換情報ユニットＲＩＵ１を有するかどうかを検出し、その後、検出信号ＲＩが置換情報ユニット検出手段４９から第２のシーケンシングステージ４１へ送信されるように設計される。置換情報ユニット評価手段５０は、復調され復号化されたキャリア信号ＤＤＣをそれが収容する情報に関して評価するため設計され、本例では、第１の置換情報ユニットＲＩＵ１だけが評価され、第２のシーケンシングステージ４１へ配信される。しかし、ここで、互いに異なる置換情報ユニットをデータキャリア３へ通信することも可能であり、その後に、置換情報ユニット評価手段５０を用いて、異なる置換情報ユニットを評価し、第２のシーケンシングステージ４１へ配信することも可能であることに注意すべきである。
【００５４】
配信手段は、チェック手段４６において、通信装置２から配信され、続いて受信された、確定された第１の置換情報ユニットＲＩＵ１がないことが確定される場合、または、通信装置１によって確定された第１の置換情報ユニットＲＩＵ１が受信され、その上、受信された確定された第１の置換情報ユニットＲＩＵ１が通信装置１へ前に送信された情報ユニットと同一であることが確定される場合に、通信装置１へ前に送信された情報ユニットＩＵの後に来る情報ユニットＩＵを用いて識別情報Ｉ１の配信を継続するためさらに設計される。配信手段４２は、チェック手段４６において、通信装置１からの確定された第１の置換情報ユニットＲＩＵ１が受信され、受信された第１の置換情報ユニットＲＩＵ１が通信装置へ前に送信された情報ユニットＩＵと同一であることが確定されるならば、識別情報Ｉ１の配信を中断するためさらに設計される。
【００５５】
配信手段４２は、シーケンシングステージ４１に設けられた位置記憶手段５１をさらに有し、この位置記憶手段を用いて、確定された第１の置換情報ユニットＲＩＵ１の受信前に送信された情報ユニットＩＵの後に来る情報ユニットＩＵの少なくとも位置がフラグされる。これは、本例では、衝突の原因になった情報ユニットＩＵの後に来る情報ユニットＩＵへのポインタの記憶によって行われる。配信手段４２は、第２の受信手段３７で継続コマンドの受信が検出されたときに、マークされた位置に対応する情報ユニットＩＵを用いて識別情報Ｉ１の情報ユニットＩＵの配信を継続するためさらに設計される。
【００５６】
図２による通信装置２の機能および図３によるデータキャリア３の機能が図１のシステム１の実施形態に基づいてここで説明される。本実施形態によれば、第１のデータキャリア３の識別情報Ｉ１はバイナリ値「１００１００１」（「イチ  ゼロ  ゼロ  イチ  ゼロ  ゼロ  イチ」）を有し、第２のデータキャリア３’の識別情報Ｉ２はバイナリ値「１００００１１」（「イチ  ゼロ  ゼロ  ゼロ  ゼロ  イチ  イチ」）を有することが仮定される。２台のデータキャリア３および３’は通信装置２の通信ゾーン内に位置していることがさらに仮定される。識別情報Ｉ１および識別情報Ｉ２は互いに異なるので、最初に、それぞれのデータキャリア３または３’によって通信装置２へ送信された情報ユニットＩＵおよびＩＵ’の衝突を管理するため設けられた衝突防止プロセスがシステム１において開始され処理され、本例ではビットバイビットであるこの種の衝突が起こると、通信装置２で受信された情報ユニットＲＩＵは、異なる情報ユニットＩＵおよびＩＵ’の本質的に同時である出現を表現し、これらの異なる情報ユニットＩＵおよびＩＵ’のうち、一方の情報ユニットＩＵは第１のデータキャリア３から発生し、もう一方の情報ユニットＩＵ’は第３のデータキャリア３’から発生し、両方の情報ユニットＩＵおよびＩＵ’がそれぞれの識別情報Ｉ１およびＩ２のそれぞれの第４の位置にあり、衝突の原因になる。この衝突防止方法は、詳細に後述される受信方法および配信方法を含む。
【００５７】
受信方法は、データキャリア３または３’に記憶され、通信装置２で情報ユニットＩＵまたはＩＵ’の形式で非接触方式によってデータキャリア３または３’から受信可能であり、通信装置２または通信装置回路４を用いて準備された識別情報Ｉ１またはＩ２のそれぞれの非接触受信のため提供される。配信方法は、上記識別情報Ｉ１またはＩ２はデータキャリア３または３’に記憶され、情報ユニットＩＵまたはＩＵ’の形式で非接触方式によって通信装置２へ送信可能であり、データキャリア３または３’によって、すなわち、本質的にそのデータキャリア回路４または４’によって準備された識別情報Ｉ１またはＩ２の非接触配信のため提供される。
【００５８】
図４に示された第１のフローチャート５２によれば、受信方法は、キャリア信号Ｃを用いてインベントリコマンドＩＣ１を送信することにより、通信装置２からブロック５４で始まり、情報ユニット受信カウンタは値ゼロ（０）にセットされる。
【００５９】
図５に示された第２のフローチャート５３によれば、配信方法は、データキャリア３およびデータキャリア３’で同時にインベントリコマンドＩＣ１を受信することによりブロック５５で始まる。次に、ブロック５６において、それぞれの識別情報Ｉ１およびＩ２の配信が、データキャリア３および３’のそれぞれによって、それぞれの配信手段４２および４２’を用いて、本例では共にバイナリ値１を有するそれぞれの第１の情報ユニットＩＵまたはＩＵ’の配信で始まる。通信装置２において、第１の受信手段１９を用いて、情報ユニットＲＩＵが受信方法に従ってブロック５７で受信され、ブロック５８では、本質的に同時に出現する２個の異なる情報ユニットＩＵおよびＩＵ’の衝突が受信された情報ユニットＲＩＵによって表現されているかどうかをチェックする。これが衝突検出手段２５を用いて通信装置２において確定されていないとき、この受信方法はブロック５９に進み、そのブロックにおいて、受信された情報ユニットＲＩＵがバイナリ値１またはバイナリ値０を表すかどうかが判定される。
【００６０】
受信された情報ユニットＲＩＵがバイナリ値０を表す場合、この受信方法はブロック６０に進み、そのブロックでは、情報ユニット検出手段２４を用いて、識別情報Ｉ１の第１の情報ユニットＩＵが情報ユニット記憶手段２７に記憶される。ブロック５９におけるチェックが、受信された情報ユニットＲＩＵはバイナリ値１を表すことを示す場合、この受信方法はブロック６１に進み、そのブロックでは、情報ユニット検出手段２４を用いて、バイナリ値１をもつビットが識別情報Ｉ１の第１の情報ユニットＩＵとして情報ユニット記憶手段２７に記憶され、これが本例に適用される。
【００６１】
次に、受信方法はブロック６２に進み、そのブロックでは、情報ユニット受信カウンタが値イチ（１）ずつ増加される。
【００６２】
その後、受信方法はブロック６３において継続し、そのブロックでは、情報ユニットカウンタが、本例では値（７）である最大値に到達したかどうかがチェックされる。情報ユニットカウンタが値（７）に到達した場合、この場合、第１の識別情報Ｉ１のすべての情報ユニットＩＵが既に通信装置２で受信されているので、受信方法はブロック６４で終了される。情報ユニットカウンタが値（７）に到達していない場合、この受信方法はブロック５７に進む。
【００６３】
配信方法では、ブロック６５において、第１の情報ユニットＩＵまたはＩＵ’の配信後、それぞれのチェック手段４６および４６’を用いて、通信装置２によって確定された第１の置換情報ユニットＲＩＵ１が、それぞれの情報ユニットＩＵおよびＩＵ’の配信後に、通信装置２から受信される可能性があるかどうかがチェックされる。
【００６４】
本例ではその可能性がないので、配信方法はブロック６６に進み、そのブロックにおいて、配信されるべき次の情報ユニットへのポインタが、シーケンシングステージ４１または４１’を用いて、それぞれの位置記憶手段５１および５１’に定められる。
【００６５】
次に、この配信方法はブロック６７に進み、そのブロックにおいて、フラグされたポインタが、配信されるべきそれぞれの識別情報Ｉ１またはＩ２の最後の情報ユニットＩＵまたはＩＵ’を表すポインタ限界以下であるかどうかがチェックされる。フラグされたポインタが未だポインタ限界を超えていないならば、この配信方法は、本例では、それぞれの場合にバイナリ値０によって与えられる第２の情報ユニットＩＵまたはＩＵ’を配信することによりブロック５６に進む。同一のバイナリ値が識別情報Ｉ１および識別情報Ｉ２の第２の位置および第３の位置の両方に与えられるので、上述の受信方法および配信方法が上記のように処理される。衝突無しで受信された３個の情報ユニット「１００」は、この段階では第２のデータキャリア３’の存在が未だ分かっていないので、識別情報Ｉ１に属するものとして、情報ユニット記憶手段２７によって通信装置２に記憶される。
【００６６】
その後、この配信方法では、それぞれの識別情報Ｉ１またはＩ２の第４の情報ユニットＩＵまたはＩＵ’がそれぞれのデータキャリア３または３’によって配信される。この配信方法によれば、ブロック５６では、バイナリ値１を表す情報ユニットＩＵが第１のデータキャリア３によって配信される。同時に、バイナリ値０を表す情報ユニットＩＵ’が第２のデータキャリア３’から配信される。この受信方法によれば、ブロック５７において、通信装置２内で、情報ユニットＲＩＵが受信され、この情報ユニットＲＩＵがマンチェスタ符号における符号化に基づいてバイナリ０とバイナリ１とにより構成された混合状態を表す。ここで、追加キャリアをさらに設けることが可能であり、追加キャリアは、その一部分が、マンチェスタ符号に従って符号化可能であることに注意すべきである。さらに、たとえば、ＵＨＦレンジで使用されるいわゆるＦＭ０符号、またはＦ２Ｆ符号のようなその他の符号が同様に利用可能である。
【００６７】
次に、ブロック５８では、受信された情報ユニットＲＩＵが、本質的に同時に出現し、一方の情報ユニットＩＵは第１のデータキャリア３から発生し、もう一方の情報ユニットＩＵ’は第２のデータキャリア３’から発生する２個の異なる情報ユニットＩＵおよびＩＵ’の衝突を表現することが検出される。次に、この受信方法はブロック６８に進み、そのブロックでは、受信された情報ユニットＲＩＵが、置換手段２６を用いて、通信装置２によって確定された、本例では、バイナリ値１を表す、第１の置換情報ユニットＲＩＵ１と置き換えられ、この第１の置換情報ユニットは、衝突を表現する情報ユニットＲＩＵの代わりに、第１のデータキャリア３から発生する情報ユニットＩＵとして使用される。このようにして確定された第１の置換情報ユニットＲＩＵ１は、情報ユニット記憶手段２７を用いて、受信されるべき第１の識別情報Ｉ１の第４の位置に記憶される。同時に、この受信方法によれば、第１の置換情報ユニットＲＩＵ１は非接触方式でデータキャリア３または３’へ配信される。
【００６８】
第１のデータキャリア３では、この配信方法によれば、キャリア信号Ｃの構造は通信装置２によって振幅変調されているので、ブロック６５において、第１の置換情報ユニットＲＩＵ１は受信されたことがチェックされ確定される。
【００６９】
次に、この配信方法は、データキャリア３でブロック６９に進み、そのブロックでは、受信された第１の置換情報ユニットＲＩＵ１がバイナリ値０を表すかどうかがチェックされる。本例ではそうではないので、第１のデータキャリア３において、この配信方法はブロック６０に進み、そこで、第１の識別情報Ｉ１の配信は通信装置２に前に送信された情報ユニットＩＵの後に来る情報ユニットＩＵ、すなわち、第４の情報ユニットを継続すべきであることが決定されるが、その理由は、通信装置２によって確定された第１の置換情報ユニットＲＩＵ１が受信され、受信されたこの確定された第１の置換情報ユニットＲＩＵ１は、通信装置２に前に送信された、バイナリ値１を表す情報ユニットＩＵと同一だからである。その結果、この配信方法はブロック６６に進む。
【００７０】
同様に、データキャリア３’において、または、そこで行われる配信方法において、第４の情報ユニットＩＵ’の配信後に、通信装置２によって確定された第１の置換情報ユニットＲＩＵ１が通信装置２から受信可能であることがブロック６５でさらに確定される。この配信方法によれば、受信された第１の置換情報ユニットＲＩＵ１は、バイナリ値０を表し、通信装置２に前に送信された第４の情報ユニットＩＵ’と同一ではないことがブロック６９で確定され、この配信方法はブロック７０へ分岐し、そのブロックでは、識別情報Ｉ２の配信が中断される。同時に、この配信方法では、ブロック７０において、第１の置換情報ユニットＲＩＵ１の受信前に配信された第４の情報ユニットＩＵ’の後に来る第５の情報ユニットＩＵ’の位置はポインタを用いてフラグされる。
【００７１】
これと同時に、原則的に受信方法において、ブロック６８では、衝突検出前に、通信装置２で受信された各情報ユニットＲＩＵは、第２のデータキャリア３’から発生する情報ユニットＩＵ’のように、情報ユニット記憶手段２７によってバッファリングされる。これは、衝突検出前に通信装置２で受信され、第１の情報ユニットＩ１に属するものとして情報ユニット記憶手段２７に記憶された情報ユニットＩＵのコピーの作成によって行われる。さらに、ブロック６８において、以前に確定された第１の置換情報ユニットＲＩＵ１は第２の置換情報ユニットＲＩＵ２によって置き換えられ、この第２の置換ユニットは、第１の置換情報ユニットと異なり、本例では、第１の置換情報ユニットと相補的であり、本例では、バイナリ値０を表し、衝突を表現する情報ユニットの代わりに、第２のデータキャリア３’から発生する情報ユニットＲＩＵとして使用され、データキャリア３’から受信可能である情報ユニットＩ２の第４の位置に記憶される。
【００７２】
この時点から始めて、第２のデータキャリア３’はその識別情報Ｉ２の配信が既に中断され、第１のデータキャリア３だけがその識別情報Ｉ１および識別情報Ｉ１に含まれ、通信装置２にまだ出力されていない情報ユニットＩＵを送信し続け、その結果、通信装置２で受信された情報ユニットＩＵは衝突無しで受信されているので、通信装置２では受信方法がブロック６８を省略して処理される。その後、配信方法はブロック７１で終了する。
【００７３】
第１の識別情報Ｉ１が通信装置２で完全に受信され、識別情報Ｉ１の受信方法がブロック６４で終了した後、この受信方法は、継続コマンドの配信によりブロック５４で再開される。その結果として、第２のデータキャリア３’では、第２の識別情報Ｉ２の情報ユニットＩＵ’の配信の継続が、前に衝突検出の原因になった第４の情報ユニットＩＵ’の後に来る第５の情報ユニットＩＵ’によってトリガーされる。第２のデータキャリア３’では、配信方法は、次に、継続コマンドが通信装置２によって受信された後に、第２の識別情報Ｉ２の情報ユニットＩＵ’の配信がフラグされた位置、すなわち、第５の位置に対応する情報ユニットＩＵ’に進むという条件に従って、ブロック５５で再開される。第１のデータキャリア３はこの時点でこれ以上情報ユニットを配信しないので、この配信方法は、ブロック６９および７０を省略して、残りの３個の情報ユニットＩＵ’のため処理される。
【００７４】
本発明による対策を提供することにより、データキャリア３または３’のいずれもそこから発生する情報ユニットＩＵおよびＩＵ’の配信を繰り返す必要がない、できるだけ効率的な衝突防止方法が作成される。
【００７５】
ここで、送信コイル構造体８および３３の代わりに、アンテナ構造体または容量的に動作する送信構造体も使用できることに注意すべきである。
【００７６】
継続コマンドは、インベントリコマンドＩＣ１と異なる別個のコマンドによって実施してもよく、通信装置回路４はこの別個のコマンドＩＣ２を発生するため設計され、データキャリア回路２９はそれを処理するため設計されることにさらに注意すべきである。
【００７７】
クロック信号ＣＬＫは内部発振器によって発生してもよいことに注意すべきである。
【００７８】
本発明による対策は、通信装置２とデータキャリア３との間の通信が互いに分離され得る通信チャネルを介して行われる、いわゆる全二重通信システムにおいても使用できることにさらに注意すべきである。
【図面の簡単な説明】
【００７９】
【図１】本発明による通信システムを、ブロック図の形式で、概略的に表す図である。
【図２】図１に記載された通信システムの発明にかかる通信装置を、図１と同じように、詳細に表す図である。
【図３】図１に記載された通信システムの発明にかかるデータキャリアを、図１と同じように、詳細に表す図である。
【図４】本発明による受信方法のフローチャートである。
【図５】本発明による送信方法のフローチャートである。
【符号の説明】
【００８０】
１  システム
２  通信装置
３  第１のデータキャリア
３’  第２のデータキャリア
４  通信装置回路
６  送信手段
７  マッチング手段
８  送信コイル構造体
１０  シーケンシングステージ
１１  第１の通信手段
１２  インベントリコマンド発生手段
１３  第１の符号化手段
１４  第１の変調手段
１５  第１の増幅手段
１６  置換情報ユニット発生手段
１７  第２の符号化手段
１８  変調手段
１９  受信手段
２０  フィルタリング手段
２１  復調手段
２２  増幅フィルタリング
２３  復号化手段
２４  情報ユニット検出手段
２５  衝突検出手段
２６  置換手段
２７  情報ユニット記憶手段
２８  情報ユニットバッファ手段
２９  データキャリア回路
３０  識別情報記憶手段
３１  第２の送信手段
３２  送信手段コネクション
３３  送信コイル構造体
３４  共振コンデンサ
３５  電源電圧発生手段
３６  クロック発生手段
３７  第２の受信手段
３８  第２の復調手段
３９  第２の復号化手段
４０  インベントリコマンド検出手段
４１  第２のシーケンシングステージ
４２  配信手段
４３  応答発生手段
４４  第３の符号化手段
４５  第３の変調手段
４６  チェック手段
４７  第３の復調手段
４８  第３の復号化手段
４９  置換情報ユニット検出手段
５０  置換情報ユニット評価手段
【図１】
2007512724.tif 000003
【図２】
2007512724.tif 000004
【図３】
2007512724.tif 000005
【図４】
2007512724.tif 000006
【図５】
2007512724.tif 000007
【国際調査報告】
2007512724.tif 000008
2007512724.tif 000009
2007512724.tif 000010